(57)【要約】      （修正有）【課題】飛沫を防止し、使用しない時にコンパクトに収納することができる収納式パーテーションを提供する。【解決手段】略扇形の透明な扇部５、扇部５の一辺が取り付けられた固定フレーム２と、扇部５の他辺が取り付けられた可動フレーム３、及び、固定フレーム２に対して可動フレーム３を回動可能に固定するための回動枢軸４であって、扇形の中心に配置されている回動枢軸４を備える収納式パーテーション１であって、可動フレーム３を固定フレーム２に対して回動させると、扇部５は扇形の展開状態と積層折りたたみ状態との間で変形し、使用状態は、可動フレーム３の回動が所定の角度で停止され、扇部５が扇形の展開状態となっており、収納状態は、可動フレーム３が固定フレーム２と重なった状態で保持され、扇部５が積層折りたたみ状態となっている。【選択図】図１
0003228791.tif 000002
【実用新案登録請求の範囲】
【請求項１】
略扇形の透明な扇部と、
前記扇部の直線の一辺が取り付けられた固定フレームと、
前記扇部の直線の他辺が取り付けられた可動フレームと、及び、
前記固定フレームに対して、前記可動フレームを回動可能に固定するための回動枢軸であって、前記扇形の中心に配置されている回動枢軸とを、備える収納式パーテーションであって、
前記可動フレームを前記固定フレームに対して回動させると、前記扇部は扇形の展開状態と積層折りたたみ状態との間で変形し、
前記収納式パーテーションの使用状態は、前記可動フレームの下方への回動が所定の角度で停止され、前記扇部が扇形の展開状態となっており、
前記収納式パーテーションの収納状態は、前記可動フレームが前記固定フレームと重なった状態で保持され、前記扇部が積層折りたたみ状態となっていることを特徴とする収納式パーテーション。
【請求項２】
前記回動枢軸に回動可能に固定され、前記扇部に放射状に配置された複数の透明な扇部支持骨を備えることを特徴とする請求項１に記載の収納式パーテーション。
【請求項３】
前記展開状態において、前記可動フレームは、前記固定フレームに対して９０°で配置されていることを特徴とする請求項１または２に記載の収納式パーテーション。
【請求項４】
前記固定フレームに対して、前記可動フレームの回動を９０°で停止させるためのストッパーが、前記固定フレームに設けられていることを特徴とする請求項３に記載の収納式パーテーション。
【請求項５】
前記扇部を積層折りたたみ状態とし、前記固定フレームに対して前記可動フレームが重なった状態で保持するための留め具を備えることを特徴とする請求項１〜４のいずれか一項に記載の収納式パーテーション。
【請求項６】
前記収納式パーテーションを対象物に固定するための固定手段を備えることを特徴とする請求項１〜５のいずれか一項に記載の収納式パーテーション。
【請求項７】
前記固定フレーム及び前記可動フレームの少なくとも１つは透明であることを特徴とする請求項１〜６のいずれか一項に記載の収納式パーテーション。
【請求項８】
前記扇部はシートまたはプレートであることを特徴とする請求項１〜７のいずれか一項に記載の収納式パーテーション。
【考案の詳細な説明】
【技術分野】
【０００１】
本考案は、飛沫の拡散を防止する収納式パーテーションに関する。
【背景技術】
【０００２】
昨今の新型コロナウイルスの流行により、店舗、オフィス等において飛沫による感染を防止する手段が必要となっており、様々な手段が用いられている。
【０００３】
飛沫を防止するために、例えば、透明なプレート、シート等を、座席、テーブル、窓口に設置する手段が用いられている。従来技術としては、特許文献１には、洗髪、洗濯の際に汚水ハネを防止するために、プラスチック板を吸盤で対象物に固定する飛沫防止板が開示されている。特許文献２のように、部屋を仕切るためのパーテーションは多数存在している。
【先行技術文献】
【特許文献】
【０００４】
【特許文献１】実開平０２−１０２１０２号公報
【特許文献２】特開２０１９−１３２８７号公報
【考案の概要】
【考案が解決しようとする課題】
【０００５】
従来のパーテーションは大型で場所を取り、設置スペースが必要となり、簡単に導入できないという問題がある。また、一般的に飛沫を防止するために使用されているプレートは、使用しない場合、プレート自体を取り外す必要があり、プレートを収納する場所が必要になるという問題があった。また、シートの場合、取り外した後、折りたたんで片付ける必要があり、再度、使用する場合には再度固定する必要がある。そこで、本考案は、そのような問題を解決し、使用しない時にその場所でコンパクトに収納することができる収納式パーテーションを提供することを目的とする。
【課題を解決するための手段】
【０００６】
本考案の収納式パーテーションは、略扇形の透明な扇部と、前記扇部の直線の一辺が取り付けられた固定フレームと、前記扇部の直線の他辺が取り付けられた可動フレームと、及び、前記固定フレームに対して、前記可動フレームを回動可能に固定するための回動枢軸であって、前記扇形の中心に配置されている回動枢軸とを、備える収納式パーテーションであって、前記可動フレームを前記固定フレームに対して回動させると、前記扇部は扇形の展開状態と積層折りたたみ状態との間で変形し、前記収納式パーテーションの使用状態は、前記可動フレームの下方への回動が所定の角度で停止され、前記扇部が扇形の展開状態となっており、前記収納式パーテーションの収納状態は、前記可動フレームが前記固定フレームと重なった状態で保持され、前記扇部が積層折りたたみ状態となっていることを特徴とする。
【０００７】
前記回動枢軸に回動可能に固定され、前記扇部に放射状に配置された複数の透明な扇部支持骨を備える。
【０００８】
前記展開状態において、前記可動フレームは、前記固定フレームに対して９０°で配置されている。
【０００９】
前記固定フレームに対して、前記可動フレームの回動を９０°で停止させるためのストッパーが、前記固定フレームに設けられている。
【００１０】
前記扇部を積層折りたたみ状態とし、前記固定フレームに対して前記可動フレームが重なった状態で保持するための留め具を備える。
【００１１】
前記収納式パーテーションを対象物に固定するための固定手段を備える。
【００１２】
前記固定フレーム及び前記可動フレームの少なくとも１つは透明である。
【００１３】
前記扇部はシートまたはプレートである。
【考案の効果】
【００１４】
本考案の収納式パーテーションは、略扇形の透明な扇部と、前記扇部の直線の一辺が取り付けられた固定フレームと、前記扇部の直線の他辺が取り付けられた可動フレームと、及び、前記固定フレームに対して、前記可動フレームを回動可能に固定するための回動枢軸であって、前記扇形の中心に配置されている回動枢軸とを、備える収納式パーテーションであって、前記可動フレームを前記固定フレームに対して回動させると、前記扇部は扇形の展開状態と積層折りたたみ状態との間で変形し、前記収納式パーテーションの使用状態は、前記可動フレームの下方への回動が所定の角度で停止され、前記扇部が扇形の展開状態となっており、前記収納式パーテーションの収納状態は、前記可動フレームが前記固定フレームと重なった状態で保持され、前記扇部が積層折りたたみ状態となっていることにより、収納式パーテーションを簡単に必要な時に使用状態とし、使用しない時は取り外すことなく収納状態とすることができるようになる。
【００１５】
前記回動枢軸に回動可能に固定され、前記扇部に放射状に配置された複数の透明な扇部支持骨を備えることにより、扇子のように前記扇部をスムーズに開閉することができる。
【００１６】
前記固定フレームに対して、前記可動フレームの回動を９０°で停止させるためのストッパーが、前記固定フレームに設けられていることにより、前記扇部を展開状態で確実に停止させることができる。
【００１７】
前記扇部を積層折りたたみ状態とし、前記固定フレームに対して前記可動フレームが重なった状態で保持するための留め具を備えることにより、前記収納式パーテーションを収納状態で簡単に保持することができる。
【００１８】
前記収納式パーテーションを対象物に固定するための固定手段を備えることにより、ソファー、椅子、机、テーブル、壁等の様々な対象物に簡単に、そして、確実に固定することができる。
【００１９】
前記固定フレーム及び前記可動フレームの少なくとも１つは透明であることにより、収納式パーテーションの使用時の視界を良好にすることができる。
【図面の簡単な説明】
【００２０】
【図１】本考案の収納式パーテーションの使用状態の正面図である。
【図２】収納式パーテーションの収納状態の正面図である。
【図３】収納式パーテーションの２種類の固定手段の正面図及び側面図である。
【図４】（ａ）は、収納式パーテーションの固定フレームの下端の部分拡大図であり、（ｂ）は、固定フレームに固定手段を取り付けた状態の部分拡大図である。
【図５】ソファーに取り付けた収納式パーテーションの使用状態の正面図である。
【図６】ソファーに取り付けた収納式パーテーションの収納状態の正面図である。
【図７】壁に取り付けた収納式パーテーションの使用状態の正面図である。
【考案を実施するための形態】
【００２１】
本考案の収納式パーテーション１について、図１〜６を用いて以下に詳細に説明する。本考案の収納式パーテーション１は、図１に示すように、略扇形の透明な扇部であるシート５と、前記シート５の直線の一辺が取り付けられた固定フレーム２と、前記シート５の直線の他辺が取り付けられた可動フレーム３と、及び、前記固定フレーム２に対して、前記可動フレーム３を回動可能に固定するための回動枢軸４とを備え、飛沫の拡散を防止するためのパーテーションとして使用することができる。
【００２２】
本考案の収納式パーテーション１は、前記固定フレーム２をソファー、椅子、机、テーブル、壁等に固定して使用し、例えば、図５に示すように、ソファー１００に前記固定フレーム２をネジ１３を用いて固定すると、ソファー１００に座った人の顔の付近の仕切りとして機能することができる。
【００２３】
このように、本考案の収納式パーテーション１は、隣接する人の間の仕切りとして使用されることから、扇部である前記シート５には透明なシートを用いることで、視界を遮ることなく飛沫の拡散を防止することできる。さらに、収納式パーテーション１が飲食店等で使用されることを想定して、前記シート５は、難燃性、不燃性のシートを用いることが好ましい。前記シート５には、積層折りたたみ状態とするために放射状に複数の折り曲げ線を設けることが好ましい。これにより、前記シート５は、積層折りたたみ状態とする際に、断面が蛇腹状になって折りたたまれて、スムーズに収納することができ、そしてよりコンパクトな状態に収納することができる。
【００２４】
前記扇部として、前記シート５の代わりに透明なプレートを用いることも可能であり、この場合プレートを折りたたみできるようにすることが必要となる。プレートの材質としては、プラスチック、アクリル等を用いることができる。
【００２５】
前記固定フレーム２、前記可動フレーム３、及び、前記扇部支持骨６は、いずれも、樹脂等で形成された部材であり、収納式パーテーション１を使用した際の視界を確保するために、前記扇部支持骨６についても透明な材質を用いることが好ましい。さらに、前記固定フレーム２及び前記可動フレーム３にも透明な材質を用いることが好ましいが、デザイン性を高めるために、不透明な材質、または、半透明な材質を用いることも可能であり、さらに、図柄、文字等をプリントすることも可能である。
【００２６】
前記可動フレーム３、及び、前記扇部支持骨６は、前記回動枢軸４によって回動可能に前記固定フレーム２に取り付けられており、前記回動枢軸４は、前記シート５の扇形の中心の位置に配置されている。これにより、前記可動フレーム３を回動させると、前記シート５を扇子のようにスムーズに開閉することができる。
【００２７】
前記収納式パーテーション１は、ソファー、椅子、机、テーブル、壁等の対象物に固定して使用するための固定手段が設けられている。前記固定手段は、様々な形態が可能であるが、例えば、前記固定フレーム２の下部に、図１，２において、左右に貫通する孔８を設けて、ネジ１３等で固定する手段を用いることができる。前記孔８は、円形の孔だけでなく、長孔等も可能である。
【００２８】
前記孔８を用いて前記収納式パーテーション１を固定する場合、固定フレーム２を直接、ネジ１３で対象物に固定するだけでなく、図３に示すような、様々な金具１０，１０’を用いて固定することも可能である。前記金具１０，１０’を用いる場合、図４（ａ）に示すように前記固定フレーム２の下部にスリット９を設け、図４（ｂ）に示すように、前記金具１０，１０’を挿入してボルト１２で固定し、前記金具１０，１０’をネジ１３等で固定することにより、固定強度を高めることができる。
【００２９】
図３（ａ）に示すように、金具１０は、Ｌ字状のプレートに複数の孔１１を形成した構造である。前記金具１０を用いる場合、図４（ｂ）に示すように、前記金具１０の一辺を前記固定フレーム２のスリット９に挿入し、前記固定フレーム２の孔８及び前記金具１０の孔１１にボルト１２を挿入して固定することで、前記金具１０を前記固定フレーム２に固定し、さらに、前記金具１０の孔１１に挿入したネジ１３を用いて前記金具１０を対象物に固定する。このようにして、前記金具１０を用いることによって、前記収納式パーテーション１をテーブル等の様々な対象物に固定することができ、また、可動式のアームの後方などにも固定することができる。その他に、図３（ｂ）に示すような長い金具１０’を用いることで、前記固定フレーム２を延長し、前記金具１０’を利用して対象物に固定することも可能である。
【００３０】
前記固定手段には、その他に、面ファスナー、両面テープ等を用いて、前記固定フレーム２を対象部に固定する方法を用いることも可能である。さらに、前記固定フレーム２の孔８を利用して、別途のアタッチメントを取り付けて固定することも可能である、また、２つのソファー等で、前記固定フレーム２を挟み込んで固定することも可能であり、固定手段は特に限定するものではなく、様々な形態が可能であり、そのために、前記固定フレーム２の構造を変更することも可能である。
【００３１】
前記固定フレーム２、前記可動フレーム３、及び、前記扇部支持骨６は、回動枢軸４を中心に放射状に配置され、前記回動枢軸４によって互いに回動可能に固定されていることにより、前記収納式パーテーション１は、前記シート５を扇子のように開いたり閉じたりすることができる。前記扇部支持骨６の数については特に限定するものではなく、前記シート５の大きさ等に応じて適宜変更することができる。また、前記収納式パーテーション１は、前記扇部支持骨６を用いない形態も可能である。この場合、前記固定フレーム２と前記可動フレーム３が前記回動枢軸４によって互いに回動可能に固定されることになり、前記シート５の両縁が前記固定フレーム２と前記可動フレーム３に固定される。
【００３２】
前記収納式パーテーション１は、扇部である前記シート５を扇子のように開いたり閉じたりすることができるので、使用しない時には、図６に示すように、前記収納式パーテーション１を対象物に固定したままで前記シート５を積層折りたたみ状態で収納することが可能となり、必要に応じて簡単に前記収納式パーテーション１を使用することができる。また、前記収納式パーテーション１を片付けて収納する際も、図２に示すように、棒状で収納することができるので、従来のプレート状のパーテーションに比べると収納スペースを大幅に削減することができる。
【００３３】
前記収納式パーテーション１は、ソファー、椅子、机、テーブルに使用されることを想定していることから、前記シート５が開いた時に約９０°で停止することが好ましい。そのために、前記シート５を約９０°の扇型とする、または、前記固定フレーム２に対して前記可動フレーム３を約９０°で停止させるストッパー（図示せず）を設けることが好ましい。前記ストッパーとして、例えば、前記固定フレーム２に、前記可動フレーム３の方向に突出する突起を設け、前記可動フレーム３が前記固定フレーム２に対して約９０°の時に当接する位置に、前記突起を配置することができる。
【００３４】
前記収納式パーテーション１を、図２に示すように、前記シート５を積層折りたたみ状態で保持するために、前記可動フレーム３を前記固定フレーム２と重なった状態で保持するための留め具７を設ける。前記留め具７は特に限定するものではなく、ゴムバンド、両端に面ファスナーが設けられたバンド、リング状の部材等、様々な形態を用いることができる。
【００３５】
本考案の収納式パーテーション１の使用方法について、図を用いて説明する。図５，６に示すように、ネジ１３等を用いて、前記収納式パーテーション１をソファー１００に固定する。そして、前記収納式パーテーション１を使用する時は、前記留め具７による前記可動フレーム３の保持を解除して、前記可動フレーム３を下方へと回動させて、前記シート５を開く。前記可動フレーム３が前記固定フレーム２に対して約９０°の角度で回動が停止されると、前記シート５は展開状態となり、前記収納式パーテーション１は使用状態となる。
【００３６】
そして、前記収納式パーテーション１を使用しない時には、図６に示すように、前記可動フレーム３を上方へと回動させて、前記シート５を折り畳み、前記可動フレーム３を前記固定フレーム２に重ねて、前記留め具７を用いて前記固定フレーム２に固定した状態とする。これにより、図５に示すように、前記収納式パーテーション１を直立した状態で、前記ソファー１００の背もたれの後方に位置させることができるので、前記収納式パーテーション１を使用しない場合、簡単に前記シート５を収納状態とすることができる。
【００３７】
前記ネジ１３を用いて前記収納式パーテーション１を固定する場合、図７に示すように、ソファー１００ではなく壁１１０に前記収納式パーテーション１を固定することも可能である。前記ネジ１３を前記固定フレーム２の下部の孔８に挿入して前記壁１１０にネジ係合させて、前記収納式パーテーション１を前記壁１１０に固定する。この場合、前記収納式パーテーション１をソファー１００の高さに合わせて前記壁１１０に固定し、その後、前記壁１１０の前に前記ソファー１１０を設置すると、図７に示すように、前記収納式パーテーション１は前記ソファー１００のパーテーションとして使用することができる。このように、本考案の収納式パーテーション１は、固定手段を用いて様々な対象物に固定することで様々な用途で使用することができる。
【００３８】
本考案の収納式パーテーション１は、固定手段を用いて対象物に固定した状態で、扇部を収納することができるので、使用しない際に簡単に片づけることができ、また、使用する際にも、扇子のように扇部を開くだけですぐにパーテーションとして使用することができる。また、収納式パーテーション１は、固定手段を用いることで様々な対象物に簡単に固定することができるので、様々な場所で使用することができる。
【符号の説明】
【００３９】
１    収納式パーテーション
２    固定フレーム
３    可動フレーム
４    回動枢軸
５    シート
６    扇部支持骨
７    留め具
８    孔
９    スリット
１０，１０’  金具
１１，１１’  孔
１２  ボルト
１３  ネジ
１００  ソファ
１１０  壁
【図１】
0003228791.tif 000003
【図２】
0003228791.tif 000004
【図３】
0003228791.tif 000005
【図４】
0003228791.tif 000006
【図５】
0003228791.tif 000007
【図６】
0003228791.tif 000008
【図７】
0003228791.tif 000009